(57)【要約】【課題】トレーに加わる外力に対する緩衝性能を高め、収納した物品の保護効果に優れ梱包用トレーを提供する。【解決手段】合成樹脂シートより成形され、少なくとも一つの収納凹部２が形成されたトレー主体部１と、このトレー主体部１を浮かせて支持するための支持部３とを有するトレーで、トレー主体部１の外周上縁部１ａと断面略伏凹形の支持部３の上縁部３ａとの間に、その全周に渡って、支持部３の下端より上方において内壁部５ａ、外壁部５ｂ及び底部５ｃよりなる断面略Ｕ字状をなす緩衝用の溝部５を形成し、溝部５の周壁部３に加わる外力を該溝部５で吸収できるようにする。【選択図】        図４
2006273333.tif 000002
【特許請求の範囲】
【請求項１】
合成樹脂シートより一体に成形されてなり、少なくとも一つの収納凹部が形成されたトレー主体部と、該トレー主体部をその外周部において浮かせて支持するための支持部とを有するトレーにおいて、
前記トレー主体部の外周上縁部と前記支持部の上縁部との間に、その全周に渡って、該支持部の下端より上方において断面略Ｕ字状をなす緩衝用の溝部が形成されてなることを特徴とする梱包用トレー。
【請求項２】
前記支持部が、所要の幅を持つ上縁部と、その内外端から下方に延成された内周壁及び外周壁を有する断面略伏凹形をなし、また前記トレー主体部の外周上縁部が前記収納凹部の外壁部に連続する鍔状をなしており、前記緩衝用の溝部が、前記トレー主体部の外周上縁部と、前記支持部の内周壁との間に設けられてなる請求項１に記載の梱包用トレー。
【請求項３】
前記緩衝用の溝部の深さが、前記収納凹部の底部の深さより浅く、かつ該収納凹部の底部の深さの１／４以上である請求項１または２に記載の梱包用トレー。
【請求項４】
前記支持部に積み重ねのためのスタック部が設けられてなる請求項１〜３のいずれか１項に記載の梱包用トレー。
【発明の詳細な説明】
【技術分野】
【０００１】
本発明は、主として電子部品等の各種物品を収納して梱包するのに使用する梱包用トレーに関するものである。
【背景技術】
【０００２】
従来より、ＩＣ部品等の電子部品、液晶表示パネル（ＬＣＤ）、携帯情報端末装置（ＰＤＡ）、液晶盤等の各種部品その他の物品の運搬に使用する梱包用トレーとしては、熱可塑性樹脂シートから真空成形等の熱成形手段により一体に成形されてなるもので、上面に少なくとも１つの収納凹部を形成した平面四角形のトレー主体部と、該トレー主体部の外周部において鍔状上縁部を介して該トレー主体部を支持する支持部としての周壁部とよりなり、収納凹部に前記の電子部品等の物品を収納した状態で多段に積み重ねて段ボール箱等により梱包使用される。前記収納凹部に収納される物品の緩衝保護のために、前記周壁部を収納凹部の底面より若干下方に突出させて、前記トレー主体部を浮かせて支持するように形成されている。
【０００３】
ところで、運搬中の梱包体の落下等により外側方から加わる衝撃が各トレーに直接作用することになるため、その衝撃が前記周壁部から前記鍔状上縁部を介して収納凹部に及び、収納された物品に衝撃を与えるだけでなく、トレイの前記周壁部や鍔状上縁部、特には衝撃が集中しやすい角部において潰れが生じることがあり、収納物品の保護を充分に果たせないことになる。そのため、従来は、梱包の際に、積み重ね状態のトレーの角部にコーナーパッドを当てがって、梱包材から加わる衝撃を吸収するようにしていたが、この場合、梱包作業が面倒になり、また梱包コストも高くなる。
【０００４】
近年、前記の問題を解決するものとして、特許文献１（特開２００２−１９３３４１号公報）に開示のトレーが提案されている。このトレーは、上面に薄型製品の収納凹部が形成されたトレイ部の外周部に一体に形成された支持部としての周壁部の下端より外方に延びる鍔状縁の少なくとも角部に、該鍔状縁を介して前記トレイ部に加わる外力を緩衝する緩衝部を設けている。この場合、角部においてはある程度の緩衝効果を発揮できるものの、トレイの側面や上下面に加わる外力に対しては充分な緩衝効果が得られない。特に、梱包材の側面が凹んだりして周壁部に直接外力が加わった場合は、その衝撃が鍔状上縁部を介して前記収納凹部に直接伝わり、収納された物品の緩衝保護の効果が損なわれることになる。
【０００５】
また、特許文献２（特開２００４−１８５６号公報）には、物品が載置される載置部の外側に、断面形状が外周壁部、底部、内周壁部で構成される略Ｕ字状の周壁部材を形成した梱包用トレーが提案されている。この梱包用トレーは、前記略Ｕ字状の周壁部材の前記内外周壁部による二重構造のために、側方からの外力に対してある程度の緩衝性能はあるものの、前記周壁部材の底部が底つきして前記載置部を支持する構造であるために、上下面に加わる外力に対しては緩衝性能が殆ど期待できないばかりか、側方からの外力に対する緩衝効果もそれほど高くはなく、衝撃に弱い電子部品等の物品の梱包用トレーには適さないものである。
【特許文献１】特開２００２−１９３３４１号公報
【特許文献２】特開２００４−１８５６号公報
【発明の開示】
【発明が解決しようとする課題】
【０００６】
本発明は、上記に鑑みてなしたものであり、トレーに加わる外力に対する緩衝性能を向上し、収納した物品の保護効果に優れ、高い緩衝性能が要求される各種物品の梱包に好適に使用できる梱包用トレーを提供するものである。
【課題を解決するための手段】
【０００７】
本発明の梱包用トレーは、合成樹脂シートより一体に成形されてなり、少なくとも一つの収納凹部が形成されたトレー主体部と、該トレー主体部をその外周部において浮かせて支持するための支持部とを有するトレーにおいて、前記トレー主体部の外周上縁部と前記支持部の上縁部との間に、その全周に渡って、該支持部の下端より上方において断面略Ｕ字状をなす緩衝用の溝部が形成されてなることを特徴とする。
【０００８】
この梱包用トレーは、例えば、電子部品等の物品を前記トレー主体部の収納凹部に収納して該トレー主体部を浮かせて支持した状態で、複数を積み重ねて段ボール箱等の梱包材により梱包する。この使用において、運搬中の落下等により梱包材の外方から外力が加わった場合に、前記トレー主体部と該トレー主体部を支持する支持部との間の緩衝用の溝部により外力を吸収して衝撃を緩和でき、トレー主体部の収納凹部の部分、ひいては該収納凹部に保持されている物品に対して良好な緩衝性能を発揮できる。
【０００９】
特に、前記緩衝用の溝部は、前記支持部の下端より上方位置にあって、底つきすることがなく、トレー主体部とともに設置面より上方に浮いた状態になるため、外力に対してより柔軟な緩衝性能を発揮でき、衝撃に比較的弱い電子部品等の物品の保護を良好になし得る。
【００１０】
前記の梱包用トレーにおいて、前記支持部が、所要の幅を持つ上縁部と、その内外端から下方に延びる内周壁及び外周壁を有する断面略伏凹形をなし、また前記トレー主体部の外周上縁部が前記収納凹部の外壁部に連続する鍔状をなしており、前記緩衝用の溝部が、前記トレー主体部の外周上縁部と、前記支持部の内周壁との間に設けられてなるものが好ましい。これにより、前記断面略Ｕ字状の溝部の内壁と前記収納凹部の側壁との間、及び前記溝部の外壁と前記支持部の外周壁との間に、それぞれ所定の間隙を保有することになるため、前記緩衝用の溝部の部分で内外方に弾力的に変位でき、そのため前記のように優れた緩衝性能を発揮できることになる。
【００１１】
前記緩衝用の溝部の深さは、前記収納凹部の底部の深さより浅く、かつ該収納凹部の底部の深さの１／４以上であるのが好ましい。すなわち、前記溝部の深さが前記より深くなると、該溝部の部分が柔軟になり過ぎて安定した支持強度が得られなくなる虞があり、さらに底つきの虞もある。また、前記溝部の深さが前記より浅くなると、期待する緩衝性能が得られなくなる。
【００１２】
前記の梱包用トレーにおいて、前記支持部に積み重ねのためのスタック部を設けておくことにより、複数の梱包用トレーを安定性よく、かつトレー主体部の収納凹部に大きな積み重ね荷重を負荷させないようにして積み重ね使用できることになる。
【発明の効果】
【００１３】
本発明の梱包用トレーによれば、トレーに加わる側方及び上下方向の外力に対し、トレー主体部と該トレー主体部を支持する外周の支持部との間の緩衝用の溝部により良好な緩衝性能を発揮でき、収納物品の緩衝保護効果に優れ、高い緩衝性能が要求される各種物品の梱包に好適に使用できる。
【発明を実施するための最良の形態】
【００１４】
次に本発明の実施の形態を図面に示す実施例に基づいて説明する。
【００１５】
図１は本発明の一実施例にかかる梱包用トレーの斜視図、図２は同梱包用トレーの平面図、図３は同梱包用トレーの正面図、図４は図２のＸ−Ｘ線の断面図である。
【００１６】
本発明の梱包用トレーＡは、合成樹脂シートを素材として、真空成形等の熱成形手段により一体に成形されてなり、液晶表示パネル等の電子部品その他の収納対象の物品Ｂを収納保持するための少なくとも一つ、好ましくは複数の収納凹部２が上面に形成された平面略四角形状のトレー主体部１と、該トレー主体部１をその外周部において支持するように該トレー主体部１の外周部の全周に渡って形成された支持部３とよりなる。
【００１７】
図の場合、前記トレー主体部１には、四つの収納凹部２が前記外周上縁部１ａと同高さの縦横の仕切部１ｂを介して形成されており、各収納凹部２の底部２ａの周縁部に、収納される前記物品Ｂ受ける凸部２ｂが設けられている。また、左右部の前後二つの収納凹部２，２間の前記仕切部１ｂの部分は間隔をおいて二つ凸部分に分離形成されている。
【００１８】
前記支持部３は、所要の幅を持つ上縁部３ａと、その内外端から下方に延成された内周壁３ｂ及び外周壁３ｃとからなり、該支持部３の上部が断面略伏凹形をなしており、この支持部３における前記外周壁３ｃの下端は、前記収納凹部２の底部２ａよりやや下方にまで延びており、該外周壁３ｃの下端が属する平面に対して前記トレー主体部１を浮かせて支持できるように形成されている。図の場合、前記外周壁３ｃが下端側が外方にひろがるように傾斜しており、積み重ね時に下段トレーの外周壁３ｃの外周に嵌合するように形成されている。さらに、前記外周壁３ｃの下端には補強用の鍔状縁３ｄが設けられ、さらに前記外周壁３ｃには、支持強度を向上するために、周方向に所要の間隔をおいて縦溝３ｅが形成されている。
【００１９】
また、前記トレー主体部１の外周上縁部１ａが、前記収納凹部２の外壁部２ｃに連続する所要幅の鍔状をなして環状に連続しており、この外周上縁部１ａが後述する緩衝用の溝部を介して前記支持部３の内周壁３ｂに連接されている。このため、記支持部３の上部が前記トレー主体部１の外周上縁部１ａより高く突出している。
【００２０】
そして、前記トレー主体部１の鍔状の外周上縁部１ａと前記支持部３の上縁部３ａとの間、特には該上縁部３ａから下方に延成された内周壁３ｂとの間に、その全周に渡って、前記支持部３の下端より上方において内壁部５ａ、外壁部５ｂ及び底部５ｃよりなる断面略Ｕ字状をなす緩衝用の溝部５が形成されており、該溝部５の周壁部３に加わる外力を該溝部５で吸収できるようになっている。
【００２１】
前記緩衝用の溝部５は、収納凹部２の配置等によっては一部的に断続するものであってもよいが、実施上は、外力に対する緩衝性能の点から、図のように連続して形成しておくのが好ましい。また、前記溝部５の深さや幅は、該溝部による緩衝性や保形性等を考慮して適宜設定できるが、前記の深さについては、前記収納凹部２の底部２ａの深さより浅くて、かつ該収納凹部２の底部２ａの深さの１／４以上であるのが、物品Ｂを収納した状態でのトレー主体部１の支持状態の安定性、及び緩衝性能の点から特に好ましい。もちろん、使用する合成樹脂シートの材質や厚み等によっては、前記範囲外の深さでの実施も可能である。いずれにしても、前記溝部５が深くなりすぎて底つきすることがないように形成しておくものとする。
【００２２】
なお、前記の梱包用トレーＡは、収納凹部２に物品Ｂを収納した状態での積み重ねを可能にするために、例えば前記支持部３の個所に、積み重ねのためのスタック部が設けられる。図示する実施例の場合は、積み重ねのためのスタック部として、トレー四周の各辺における前記支持部３の部分における左右非対称位置に凹設部７が形成されており、複数のトレーを多段に積み重ねる際、各段毎に１８０°交互に方向を変えることにより、上段トレーの外周壁３ｃが下段トレーの外周壁３ｃの外側に嵌合して、前記凹設部７の下端７ａが、下段のトレーの支持部３の上縁部３ａに載接するように形成されており、これにより、積み重ね状態においても、各段のトレー主体部１を宙に浮かせて支持できるようになっている。
【００２３】
さらに、図の場合、前記各収納凹部２の底部２ａの部分には、積み重ねの際に、下段トレーの収納凹部２に収納された物品Ｂの上面に近接もしくは当接して該物品Ｂの浮き上がりを規制できる押さえ用凸部８が所要の個所に設けられている。
【００２４】
上記の梱包用トレーＡは、熱可塑性樹脂の発泡シートや非発泡シートを用いて、真空成形法等の公知の熱成形加工の手段により容易に製造できる。
【００２５】
例えば、熱可塑性樹脂の発泡シートから真空成形する場合、前記梱包用トレーＡの形状に対応したキャビティを形成できる上下一対の雌型と雄型とを用い、該両型間に加熱軟化させた熱可塑性樹脂発泡シートを介在させた状態で型締めするようにして、該発泡シートを雌型と雄型との間に挟み込むとともに、雌型の側から真空吸引しながら、雌型のキャビティ面に沿わせるように成形する。
【００２６】
本発明の梱包用トレーＡの構成素材としては、シートからの熱成形が可能な熱可塑性樹脂の発泡シートや非発泡シートであれば特に限定されないが、例えば、ポリプロピレン系樹脂、ポリエチレン系樹脂、エチレンを主体とするポリオレフィン系樹脂、ポリエステル系樹脂、ポリカーボネート系樹脂、ポリ塩化ビニル系樹脂、ポリスチレン系樹脂等からなる発泡シートあるいは非発泡シートを用いることができる。中でも、発泡シートを用いると製品表面の緩衝性が向上する。この発泡シートの場合、厚みは０．５ｍｍ〜５．０ｍｍで、発泡倍率は２〜１０倍のものが好適に用いられるが、これに限られるものではない。また、非発泡シートの場合の厚みは前記より薄くすることも可能である。
【００２７】
この梱包用トレーＡは、前記トレー主体部１の各収納凹部２に、例えば、電子部品等の物品Ｂを収納した状態で、外周の支持部３の部分のスタック部（凹設部７）において積み重ね、前記トレー主体部１を宙に浮かせて支持した状態にして図のように複数段に積み重ね、これを段ボール箱等の梱包材に収納して梱包する。
【００２８】
この使用において、運搬中の落下等により梱包材の外方から外力が加わった場合に、前記トレー主体部１と該トレー主体部１を支持する支持部３との間の緩衝用の溝部５により外力を吸収して衝撃を緩和でき、トレー主体部の収納凹部の部分、ひいては該収納凹部に保持されている物品に対して良好な緩衝性能を発揮できる。
【００２９】
すなわち、支持部３に対し外力が加わったとき、前記緩衝用の溝部５の部分では、前記支持部５の下端より上方の位置にあって宙に浮いた状態になっていることもあって、その外壁５ａが内壁５ｂ側に接近する方向に比較的柔軟に弾性変形できることになり、そのため、前記外力を吸収し、良好な緩衝性能を発揮できる。そのため、収納凹部２に収納された物品Ｂに対する衝撃を緩和でき、衝撃に弱い電子部品等の物品Ｂの保護を良好になし得る。
【００３０】
〔実施例〕
発泡倍率３．５倍、坪量４５０ｇ／ｍ2、厚み１．５ｍｍのポリプロピレン系樹脂の発泡シートを用い、上記した真空成形法により、図１〜図４の形状の本発明にかかる梱包用トレーを成形した。得られたトレーを用い、各収納凹部（４個所）にそれぞれハードディスク（５０ｇ／個）を収納したトレーを５段積み重ね、その上の６段目に、蓋として空のトレーを載せた後、段ボール箱に収納して接着テープにより封緘した。この梱包体について、ＪＩＳ  Ｚ  ０２０２の包装貨物の落下試験方法（落下高さ７０ｃｍ、１角３稜６面落下）に準拠して、落下試験を行い、最下段の角落下に接する収納凹部に収納したハードディスクに加わるＧ値（重力加速度）を測定した。その結果は次の通りであった。 
測定結果：底面  ６０Ｇ、天面  ４７Ｇ、前面  ６０Ｇ
背面  ３８Ｇ、左面  ５６Ｇ、右面  ５２Ｇ
【００３１】
〔比較例〕
比較のために、前記と同じ発泡シートを用いて、トレー主体部の外周上縁部と外周部の支持部との間に緩衝用の溝部を有さないで、該トレー主体部の外周上縁部が断面略伏凹形の支持部の内周壁に直接連続している以外は、実施例のものと同形状をなす従来形のトレーを成形し、このトレーについて、前記と同様の梱包状態、同条件での落下試験を実施し、最下段の角落下に接する収納凹部に収納したハードディスクに加わるＧ値（重力加速度）を測定した。その結果は次の通りであった。 
測定結果：底面  １０６Ｇ、天面  ５５Ｇ、前面  １０４Ｇ
背面  ５３Ｇ、左面  ９８Ｇ、右面  ６８Ｇ
【００３２】
上記の試験の結果、この種の梱包用トレーとしての許容Ｇ値は１００Ｇ以下とされているところ、比較例のトレーの場合は全体的にＧ値が高く、一部で許容Ｇ値を上回るところもあったが、実施例の梱包用トレーのＧ値は、前記許容Ｇ値よりも相当低くなっており、収納されたハードディスクに対して高い緩衝性能を発揮できることが判明した。
【産業上の利用可能性】
【００３３】
本発明は、ＩＣ部品等の電子部品、液晶表示パネル（ＬＣＤ）、携帯情報端末装置（ＰＤＡ）、液晶盤等の電子部品その他の各種部品の保管、運搬に使用する梱包用トレーに好適に利用することができる。
【図面の簡単な説明】
【００３４】
【図１】本発明の一実施例にかかる梱包用トレーの斜視図である。
【図２】同梱包用トレーの平面図である。
【図３】同梱包用トレーの正面図である。
【図４】図２のＸ−Ｘ線の拡大断面図である。
【図５】積み重ね状態の断面図である。
【符号の説明】
【００３５】
Ａ…梱包用トレー、Ｂ…収納する物品、１…トレー主体部、１ａ…外周上縁部、１ｂ…仕切部、２…収納凹部、２ａ…底部、２ｂ…凸部、３…支持部、３ａ…上縁部、３ｂ…内周壁、３ｃ…外周壁、３ｄ…鍔状縁、３ｅ…縦溝、５…緩衝用の溝部、５ａ…内壁部、５ｂ…外壁部、７…スタック部となる凹設部、８…押さえ用凸部。
【図１】
2006273333.tif 000003
【図２】
2006273333.tif 000004
【図３】
2006273333.tif 000005
【図４】
2006273333.tif 000006
【図５】
2006273333.tif 000007